(57)【要約】【課題】背負式の噴霧作業機等を搬送することができる台車装置であって、農作業をする際に農業従事者の負担軽減に役立つ搬送台車装置を提供する。【解決手段】搬送台車装置２は、長方形に形成された載置台２０１、取付フレーム２１０、ハンドル２２０、ブレーキ２３０、車輪３１、キャスター３２等により構成されている。搬送台車装置２は車輪３１およびキャスター３２のタイヤを除き、アルミニウム合金により形成されている。  載置台２０１には、固定部材２０３、長孔２０４および固定ボルト２０５が各一対ずつ設けられている。各固定部材２０３は断面視六角形の棒状体であり、上方向に垂直に突設して設けられている。各長孔２０４は載置台２０１の長手方向に所要の長さに設けられている。固定部材２０３は長孔２０４に沿って左右にスライドできるように設けられている。【選択図】        図６
2005271687.tif 000002
【特許請求の範囲】
【請求項１】
背負式の噴霧作業機(4)を搬送するための台車装置(1)であって、
噴霧作業機(4)を載置および固定する台部(101)と、
台部(101)に設けてあるハンドル(110)と、
走行車輪(31)と、
停止時に走行車輪(31)と協働して台車(1)を安定させる補助脚部(102)または走行車輪(32)と、
を備えており、
台部(101)は、噴霧作業機(4)を挟む固定部材(103)が設けられており、
ハンドル(110)は、噴霧作業機(4)のホースを巻き掛ける巻掛部(115,117)と、噴霧作業機の係止部材(113)を備えており、
各走行車輪(31)は台部(101)の両側にそれぞれ独立して回転可能に設けられ、各走行車輪間に車軸を通さないよう構成してある事を特徴とする、
搬送台車装置。
【請求項２】
補助脚部(102)の下部が湾曲して設けられ、進行方向前部側が前方へ向け上り傾斜していることを特徴とする、
請求項１記載の搬送台車装置。
【請求項３】
走行車輪(32)を止めるブレーキ(230)を有することを特徴とする、
請求項１記載の搬送台車装置。
【請求項４】
ブレーキ(230)は、走行車輪(32)に係るタイヤに係止部材(232)を押し当てて車輪の動きを固定するものであることを特徴とする、
請求項１または３記載の搬送台車装置。
【請求項５】
予備タンク(5)または／およびその他作業に係る物品(6)の収容部(227,228)を備えていることを特徴とする、
請求項１、３または４記載の搬送台車装置。
【請求項６】
ホースが絡まるのを防止する部材(207)を備えたことを特徴とする、
請求項１、２、３、４または５記載の搬送台車装置。
【請求項７】
搬送台車装置(1,2)は、分解及び組み立て可能に構成されていることを特徴とする、
請求項１、２、３、４、５または６記載の搬送台車装置。
【発明の詳細な説明】
【技術分野】
【０００１】
本発明は、搬送台車装置に関する。更に詳しくは、背負式の噴霧作業機等を搬送することができる台車装置であって、農作業をする際に農業従事者の負担軽減に役立つ搬送台車装置に関する。
【背景技術】
【０００２】
従来、圃場で水や農薬を散布する作業（以下「農作業」という。）には、背負式噴霧作業機が使用されている。背負式噴霧作業機（以下「噴霧作業機」という。）は、大型の動力噴霧機を積載した車両等が入ることができない場所で農作業などを行う際に、小回りが利いて便利である。また、少量の農薬等散布作業を行う際にも、作業の準備が手早くできて便利である。
しかし、小型とはいえ、噴霧作業機は貯液タンクを備えており、また動力噴霧作業機の場合は加えて動力機も備えているため、相当の重量（約２５ｋｇ〜４０ｋｇ）を有している。このため、丘陵地の斜面に設けられた圃場や、果樹等低木の枝の下で中腰になって農作業する際には、健康な成人男子であっても重量の負担が大きい。作業者が女性や高齢者の場合にあっては尚更の事である。
そこで、噴霧作業機を背負う負担を軽減するため、下記特許文献１に示すような噴霧作業機運搬装置（以下「運搬装置」という。）が提案されている。
【特許文献１】特開２００３−１１２０８９
【０００３】
上記運搬装置を使用すれば、噴霧作業機を載せた運搬装置を押すあるいは牽引して、少ない力で移動させることができる。また、必要に応じて噴霧作業機を運搬装置から外し、作業者が背負って作業することもできる。
【発明の開示】
【発明が解決しようとする課題】
【０００４】
しかし、特許文献１にかかる運搬装置はベルトやバンド、または固定金具等により運搬装置に噴霧作業機を固定するため、噴霧作業機の着脱に時間と手間が掛かる。そのため、噴霧作業機を作業状況に応じて素早く着脱し、使用することが難しいという課題があった。また、特許文献１にかかる運搬装置は、噴霧作業機をベルトや固定金具等で締め付けて固定するために特定箇所に繰り返し荷重が掛かり、その箇所、特に貯液タンクはひび割れたり摩耗による破損が生じやすいという課題もあった。
【０００５】
また、特許文献１に係る運搬装置は車軸を有しているため、移動の際に果樹園等の圃場に生えている下草から車軸が抵抗を受けるという課題もあった。
【０００６】
更にまた、特許文献１に係る運搬装置は走行車輪等にブレーキを備えてないため、斜面、特に山間部に設けられた果樹園等での農作業時に運搬装置が不安定になるという課題があった。
【０００７】
ところで、一般的に背負式噴霧作業機に設けられた貯液タンクの容量はさほど多くはないため、作業の最中にタンクの水等を使い切ることもあり、その都度水源まで補給に戻るのは面倒であった。また、水に混ぜる薬剤や肥料等についても同様である。
このため、背負式噴霧作業機と併せて予備の貯液タンク（以下「予備タンク」という。）等を運搬装置に積載できると便利である。
【０００８】
特許文献１にかかる運搬装置に噴霧作業機を積載したまま作業した場合、噴霧作業機を背負わなくて済むために作業者の肉体的負担は少ない。しかし、ホースの長さが短いことからホースの届く範囲しか農薬等を散布できなかった。
そのため、運搬装置に積載した噴霧作業機に延長ホースを組み合わせることで、運搬装置に積載したままでも離れた場所での作業ができるよう工夫する者もいた。
しかし、作業中は引き出した延長ホースを毎回収納せずに作業場所を移動することが多いため補助脚部やタイヤに該ホースを巻き込んで絡まることもあるが、場所移動の度に延長ホースを収納したり、あるいは絡んだホースを外していては、作業効率が低下するという課題があった。
【０００９】
（発明の目的）
本発明の目的は、噴霧作業機を着脱する時間を短縮でき、かつ、噴霧作業機の貯液タンク等を傷付けにくい搬送台車装置を提供することにある。
【００１０】
本発明の他の目的は、下草等の抵抗を受けにくいため噴霧作業機搬送時に作業者の肉体的負担を軽減することができる搬送台車装置を提供することにある。
【００１１】
本発明の他の目的は、より多くの物を積載しても安定感があり、かつ、作業者の肉体的負担を軽減することができる搬送台車装置を提供することにある。
【００１２】
本発明の他の目的は、走行車輪に備えたブレーキにより、斜面での作業の際に台車を安定させることができる搬送台車装置を提供することにある。
【００１３】
本発明の他の目的は、作業中に補給に戻る手間を省くことができる搬送台車装置を提供することにある。
【００１４】
本発明の他の目的は、作業の際、延長したホースが台車の脚部や走行車輪に絡みにくい搬送台車装置を提供することにある。
【００１５】
本発明の他の目的は、運送時、保管時の省スペース性を向上させた搬送台車装置を提供することにある。
【課題を解決するための手段】
【００１６】
上記目的を達成するために本発明が講じた手段は次のとおりである。
第１の発明にあっては、
背負式の噴霧作業機を搬送するための台車装置であって、
噴霧作業機を載置および固定する台部と、
台部に設けてあるハンドルと、
走行車輪と、
停止時に走行車輪と協働して台車を安定させる補助脚部または走行車輪と、
を備えており、
台部は、噴霧作業機を挟む固定部材が設けられており、
ハンドルは、噴霧作業機のホースを巻き掛ける巻掛部と、噴霧作業機の係止部材を備えており、
各走行車輪は台部の両側にそれぞれ独立して回転可能に設けられ、各走行車輪間に車軸を通さないよう構成してある事を特徴とする、
搬送台車装置である。
【００１７】
第２の発明にあっては、
補助脚部の下部が湾曲して設けられ、進行方向前部側が前方へ向け上り傾斜していることを特徴とする、
第１の発明に係る搬送台車装置である。
【００１８】
第３の発明にあっては、
走行車輪を止めるブレーキを有することを特徴とする、
第１の発明に係る搬送台車装置である。
【００１９】
第４の発明にあっては、
ブレーキは、走行車輪に係るタイヤに係止部材を押し当てて車輪の動きを固定するものであることを特徴とする、
第１または第３の発明に係る搬送台車装置である。
【００２０】
第５の発明にあっては、
予備タンクまたは／およびその他作業に係る物品の収容部を備えていることを特徴とする、
第１、第３または第４の発明に係る搬送台車装置である。
【００２１】
第６の発明にあっては、
ホースが絡まるのを防止する部材を備えたことを特徴とする、
第１、第２、第３、第４または第５の発明に係る搬送台車装置である。
【００２２】
第７の発明にあっては、
搬送台車装置は、分解及び組み立て可能に構成されていることを特徴とする、
第１、第２、第３、第４、第５または第６の発明に係る搬送台車装置である。
【００２３】
本明細書及び本特許請求の範囲にいう「噴霧作業機」は、例えば、ガソリンエンジン、電動モーターまたは人力等を動力源とするものである。
【００２４】
本明細書及び本特許請求の範囲にいう「予備タンク」は、液体を貯める容器であり、また、「その他作業に係る物品」は、農作業に使用する物品、例えば、ボトル等の容器に収容した農薬、肥料等のほか、噴霧作業機の使用に際して必要な物品、例えば、燃料、オイル等も含まれる。
【００２５】
本明細書及び本特許請求の範囲にいう「予備タンクまたは／およびその他作業に係る物品」は、予備タンクまたはその他作業に係る物品のいずれか一方を含む場合もあるし、あるいは、予備タンクおよびその他作業に係る物品の両方を含む意味で使用している。
【００２６】
本明細書及び本特許請求の範囲にいう「走行車輪を止める」および「車輪の動きを固定する」とは、車輪の回転または車輪の旋回のいずれか一方の動きを止める、または、固定する場合もあるし、あるいは、車輪の回転および車輪の旋回の両方の動きを固定する場合もある。
【００２７】
（作  用）
まず、噴霧作業機を搬送台車装置の台部に載置する。載置された噴霧作業機を、台部に設けられた固定部材により挟んで支持し、背部側をハンドルに設けられた係止部材により係止する。これにより、係止部材と固定部材が協働し、噴霧作業機が搬送台車装置に固定される。
【００２８】
なお、固定された噴霧作業機は、噴霧作業機を搬送台車装置の上方向に持ち上げるだけで、搬送台車装置から外すことができる。
また、固定部材及び係止部材は、最初に決定した位置に固定されているため、再度の位置調整をしなくとも噴霧作業機を何度も着脱することができる。
【００２９】
噴霧作業機を載置した搬送台車装置は、補助脚部を持ち上げてハンドルを押し又は牽引して移動させる。この際、補助脚部は障害物の抵抗を受けにくいよう形成されている（補助脚部の下部が湾曲して設けられ、進行方向前部側が前方へ向け上り傾斜している）ため、補助脚部に下草等が絡みにくい。
また、各走行車輪は台部の両側にそれぞれ独立して回転可能に設けられ、各走行車輪間に車軸を通さないよう構成してあるため、走行車輪は下草等の抵抗を受けにくい。
【００３０】
なお、作業の必要に応じて、ハンドルに設けられた巻掛部に噴霧作業機の延長ホースを巻き掛けておいてもよい。
【００３１】
補助脚部に走行車輪が設けられた搬送台車装置を使用する場合も、噴霧作業機は前述の方法によって固定し、着脱できる。なお、補助脚部に走行車輪が設けられた搬送台車装置は、ハンドルを押すまたは牽引すれば搬送台車装置を移動させることができる。
【００３２】
搬送台車装置を停止させる際は、走行車輪に設けられたブレーキを使用し、走行車輪に係るタイヤに係止部材を押し当てることにより固定させる。
【００３３】
搬送台車装置に備えられた収容部に予備タンクまたは／およびその他作業に係る物品を収容し、搬送する。噴霧作業機内の水等が無くなった場合、載置等された予備タンク等から必要量を補給する。
【００３４】
搬送台車装置に備えられたホースが絡まるのを防止する部材に、延長ホースを保持させる。該部材はホースを補助脚部や走行車輪の取付位置から離れた箇所に誘導し、ホースを補助脚部や走行車輪に絡まりにくくさせる。
【００３５】
分解可能に構成された搬送台車装置は、作業前に組み立て、作業後は再度分解して収納されることにより、より少ないスペースに収納することができる。
【発明の効果】
【００３６】
本発明によれば、次の効果を奏する。
搬送台車装置から噴霧作業機を着脱する時間を短縮でき、かつ、噴霧作業機のタンク等を傷付けにくい。また、搬送台車装置の脚部または走行車輪に下草等の抵抗を受けにくい。
【００３７】
搬送台車装置の補助脚部に走行車輪を備えたものは、牽引して作業することができ、また、より多くの物を積載しても安定感があるため、使用する作業者の肉体的負担を軽減できる。
また、走行車輪に設けたブレーキの使用により、斜面での作業の際にも台車が安定するため、作業者の安全性を向上させる。
【００３８】
搬送台車装置に予備のタンク及びその他作業に係る物品の収容部を備えたものは、補給に戻る手間を省くことができるため、時間効率が向上する。
【００３９】
搬送台車装置にホースが絡まるのを防止する部材を備えたものは、作業時に台車の脚部や走行車輪に絡んだホースを外す手間が省くことができる。
【００４０】
分解および組み立て可能に構成された搬送台車装置は、運送時、保管時の省スペース性が向上する。
【発明を実施するための最良の形態】
【００４１】
本発明の実施の形態を図面に基づき更に詳細に説明する。
【００４２】
図１は本発明にかかる搬送台車装置の、第一の実施の形態を示す斜視図、
図２は本発明にかかる第一の実施の形態の搬送台車装置を下方から示す斜視図、
図３は本発明にかかる第一の実施の形態の搬送台車装置を後方から示す斜視図である。
【００４３】
図１乃至図３に示す搬送台車装置１について説明する。
搬送台車装置１は、ハンドル１１０と、載置台１０１と、補助脚部１０２と、車輪３１等により構成されている。搬送台車装置１は、車輪３１のタイヤを除きアルミニウム合金により形成されている。
ハンドル１１０は金属製の円管を略逆Ｕ字状に曲げて形成されており、長方形に形成された載置台１０１長縁部幅に固着され、載置台１０１の上方に向けて垂直に設けられている。補助脚部１０２および車輪３１は、載置台１０１下部に設けられている。
【００４４】
載置台１０１は板状に形成されている。載置台１０１裏部には、載置台１０１の長手方向に向かってＨ字状に形成されたフレーム１０６が設けられている。（図２参照）
【００４５】
載置台１０１下部には補助脚部１０２が設けられている。補助脚部１０２は、載置台１０１下部の各短縁部に、相対し且つ平行に位置するよう設けられている。
各補助脚部１０２は、ハンドル１１０設置縁部と反対側の長縁部に係る角部近傍から下方向に突設され、ハンドル１１０方向に上り傾斜するよう湾曲して形成されている。上り傾斜するよう湾曲した各補助脚部１０２は、ハンドル１１０下端部と固着されている。
【００４６】
載置台１０１各短縁部下方であって、各補助脚部１０２とハンドル１１０下端部の固着部分に、車輪３１がそれぞれ設けられている。
なお、車輪３１は地面の凹凸による衝撃を軽減するため、空気の入ったタイヤを使用したものが好適である。
【００４７】
載置台１０１のハンドル１１０が設けられた長縁部と反対側の長縁部近傍に、固定部材１０３、長孔１０４および固定ボルト１０５が各一対ずつ設けられている。
各固定部材１０３は断面視六角形の棒状体であり、上方向に垂直に突設して設けられている。
各長孔１０４は、載置台１０１の長手方向に所要の長さに設けられている。固定部材１０３は、長孔１０４に沿って左右にスライドできるように設けられている。
固定部材１０３と固定ボルト１０５は螺合するよう形成されており、長孔１０４を上下から挟むよう設けられている。
【００４８】
ハンドル１１０各側部の中央近傍に、横フレーム部材１１６が横設されている。
ハンドル１１０上部中央部と横フレーム部材１１６中央部の間には、縦方向にガイド板１１１が設けられている。
【００４９】
ガイド板１１１の縦方向中央には、長孔１１２が設けられている。係止フック１１３と固定ナット１１４は、長孔１１２を表裏から挟むように設けられている。
【００５０】
係止フック１１３は載置台１０１側に設けられている。係止フック１１３は、中央にネジを切った棒状体の一端に二つの鉤状体を横方向かつ平行に固着して形成されている。係止フック１１３に係る棒状体は、長孔１１２を挿通しており、ガイド板１１１を挟んで反対側に設けられた固定ナット１１４と螺合している。  係止フック１１３は、長孔１１２に沿って上下にスライドできるよう設けられている。
【００５１】
ハンドル１１０の載置台１０１と反対側に、上部ホース巻掛部１１５と下部ホース巻掛部１１７が設けられている。
上部ホース巻掛部１１５は、棒状体で形成されており、横フレーム部材１１６に固着されている。上部ホース巻掛部１１５は上方に折れ曲がった山形であり、横フレーム部材１１６の両端近傍からそれぞれ載置台１０１と反対側に突設され、所要の部分から上方向に曲げて形成されている。
下部ホース巻掛部１１７は、棒状体で形成されており、ハンドル１１０の各側部の下方に固着されている。下部ホース巻掛部１１７は下方に折れ曲がった山形であり、ハンドル１１０の各側部の下方からそれぞれ載置台１０１と反対側に突設され、所要の部分から下方向に曲げて形成されている。
【００５２】
掛止部１１８は細棒状に形成され、ハンドル１１０の一方の側部に設けられている。掛止部１１８は、高さ方向にハンドル１１０上部と横フレーム部材１１６の中間近傍に水平方向に突設して設けられている。
【００５３】
（作  用）
図４は第一の実施の形態にかかる搬送台車装置を使用した状態を前方から示す説明図、
図５は第一の実施の形態にかかる搬送台車装置を使用した状態を後方から示す説明図である。
図４および図５を参照して、搬送台車装置１の作用について説明する。なお、本願実施の形態では、噴霧作業機として動力噴霧機４を使用する。
【００５４】
載置台１０１に、背負ベルト４０３側をハンドル１１０に向けて動力噴霧機４を載置する。左右の各固定部材１０３を、長孔１０４に沿ってスライドさせ、動力噴霧機４に当接させる。各固定部材１０３の位置決定後、固定ボルト１０５を締めて位置を固定する。これにより、動力噴霧機４は長手方向に動かないよう固定される。
【００５５】
次に、係止フック１１３を、長孔１１２に沿って上下にスライドさせて、動力噴霧機４の背負ベルト４０３を結着するバックル４０４に引っ掛け、吊り下げできるよう位置を調節する。バックル４０４が外れないよう係止フック１１３を位置させ、固定ナット１１４を締めて係止フック１１３の位置を固定する。
上記作業により、各固定部材１０３と係止フック１１３が協働し、動力噴霧機４が搬送台車装置１に固定される。
【００５６】
このようにして固定された搬送台車装置１は、動力噴霧機４を載置台１０１から持ち上げて係止フック１１３から取り外すだけで、動力噴霧機４を搬送台車装置１から取り外すことができる。再度取り付けるときは逆の手順で取り付ける。上記着脱手段を採用したので、動力噴霧機４の容易かつ迅速な着脱を可能としている。このため、搬送台車装置１を牽引等して入ることが困難な場所で作業する際は、動力噴霧機４を即座に取り外して背負い、手早く作業に取りかかることができる。
【００５７】
また、搬送台車装置１に動力噴霧機４を載置したまま、延長ホース４０２の一端を動力噴霧機４に接続し、他端をノズル４０１に接続し、ハンドル１１０に巻き掛けた延長ホース４０２を延ばすことで、搬送台車装置１から離れて作業することができる。ノズル４０１のみを持った状態で作業ができるため、搬送台車装置１が入りにくい場所でも作業でき、また、動力噴霧機を背負わなくて済むため、高所での作業あるいは窮屈な姿勢をとらざるを得ない場所での作業時に、作業者の肉体的負担を軽減し且つ作業者の安全性向上に役立つ。
【００５８】
延長ホース４０２は、ハンドル１１０に設けられた上部ホース巻掛部１１５および下部ホース巻掛部１１７に巻いて収納されるが、その際に上部ホース巻掛部１１５と掛止部１１８の間に紐状体を結着すると、延長ホース４０２の脱落防止に役立つ。紐状体はゴムバンドが好適である。
【００５９】
図６は本発明にかかる搬送台車装置の、第二の実施の形態を示す斜視図、
図７は本発明にかかる第二の実施の形態の搬送台車装置を下方から示す斜視図、
図８は本発明にかかる第二の実施の形態の搬送台車装置を後方から示す斜視図である。
【００６０】
図６乃至図８に示す搬送台車装置２について説明する。なお、搬送台車装置１と共通の構造部分については説明を省略する。
搬送台車装置２は、長方形に形成された載置台２０１と、取付フレーム２１０と、ハンドル２２０と、ブレーキ２３０と、車輪３１と、キャスター３２等により構成されている。搬送台車装置２は、車輪３１およびキャスター３２のタイヤを除き、アルミニウム合金により形成されている。
【００６１】
載置台２０１は、第一の実施の形態に係る載置台１０１とほぼ同様の構造であるが、載置台１０１長手方向の長さが取付フレームを兼ねるハンドル１１０とほぼ同様であるのに対し、載置台２０１長手方向の長さは取付フレーム２０１より長大に形成されている。
【００６２】
載置台２０１下部に一対の車輪取付基部２０２が固着して設けられている。各車輪取付基部２０２は略円弧状に形成されており、載置台２０１各短縁部下方に相対し且つ平行に位置するよう設けられている。
【００６３】
載置台２０１の下方であって各車輪取付基部２０２下端近傍には、車輪３１が各一箇所に設けられている。
【００６４】
載置台２０１の取付フレーム２１０が設けられた長縁部と反対側の長縁部近傍に、固定部材２０３、長孔２０４および固定ボルト２０５が各一対ずつ設けられている。構造については、第一の実施の形態に係る固定部材１０３、長孔１０４および固定ボルト１０５と同様であるため説明を省略する。
【００６５】
載置台２０１に設けられた取付フレーム２１０と反対側の長縁部に、ホースガイド部材２０７、ホースガイド部材取付部２０８が設けられている。
ホースガイド部材２０７は略長円に形成された環状体である。更に詳しくは鉤状体の一部に外側に向かい付勢された片（符号省略）が設けられた環状体であって、その一端部を仕切るように形成された取着部（符号省略）が設けられている。
ホースガイド部材取付部２０８は棒状体を円弧状に曲げて形成されており、載置台２０１に設けられた取付フレーム２１０と反対側の長縁部近傍に固着されている。
ホースガイド部材２０７は、ホースガイド部材２０７に形成された取着部にホースガイド部材取付部２０８が挿通して、載置台２０１に取着されている。
【００６６】
取付フレーム２１０は、ガイド板２１１、長孔２１２、係止フック２１３、固定ナット２１４、上部ホース巻掛部２１５、横フレーム部材２１６、下部ホース巻掛部２１７、掛止部２１８から構成されているが、第一の実施の形態にかかるハンドル１１０と同様の構造であるため説明を省略する。
【００６７】
次に、ハンドル２２０について説明する。
ハンドル２２０はアルミニウム合金の円管を略逆Ｕ字状に曲げて形成されている。
ハンドル２２０は載置台２０１下部の短手方向にわたって固着され、固定部材２０３が設けられた長縁部と反対側の水平方向に突設してハンドル２２０下部を形成している。突設されたハンドル２２０は、所要の箇所から斜め上に曲げてあり、側面視略山形に形成されている。
ハンドル２２０下部と取付フレーム２１０下端部は、載置台２０１縁部において固着されている。
ハンドル２２０上部側の各側部と取付フレーム２１０各側部の所要の箇所に、サイドフレーム２２１が水平方向かつ平行に相対し、固着して設けられている。
補強フレーム２２２は、取付フレーム２１０とハンドル２２０間に設けられており、各サイドフレーム２２１を横方向に連結している。
補強フレーム２２３は、ハンドル２２０と各サイドフレーム２２１の固着部近傍に設けられており、各サイドフレーム２２１を横方向に連結している。
【００６８】
載置板２２４は、板状体に形成されており、取付フレーム２１０近傍において、ハンドル２２０下部の各側部を横方向に連結している。
【００６９】
キャスター取付部２２５は、所要の幅を有する板状体を略コ字状に曲げて形成してあり、略コ字状に曲げられた板状体の各端部を、ハンドル２２０底部の各側部の上方向に固着してある。キャスター取付部２２５は、取付フレーム２１０とハンドル２２０中間のややハンドル２２０寄りの位置に設けてある。
キャスター取付部２２６は、キャスター取付部２２５とほぼ同様の構造である。キャスター取付部２２６は、キャスター取付部２２５とハンドル２２０間であって、ハンドル２２０近傍に設けてある。
【００７０】
取付フレーム２１０下端近傍には保持板２２７および背面板２２８が設けられており、載置板２２４とともに、その他作業に係る物品の収容部を形成している。
保持板２２７は、所要の幅を有する板状体を略コ字状に曲げて形成してあり、略コ字状に曲げられた板状体の各端部を、取付フレーム２１０下部の各側部であってハンドル２２０方向に固着して設けられている。
背面板２２８は所要の幅を有する板状体であり、取付フレーム２１０下部の各側部間を横方向に連結している。
【００７１】
次に、キャスター３２について説明する。本実施の形態で採用したキャスター３２は自由に方向の変る自在車輪であり、方向は３６０°回転可能に形成されている。
キャスター３２は、キャスター取付部２２５およびキャスター取付部２２６の下方に設けられている。
キャスター３２にかかる車輪保持部３２１の取付基部は、対角線上の計４箇所に配されたキャスター固定部材３２２により、キャスター取付部２２５およびキャスター取付部２２６に取着されている。なお、各キャスター固定部材３２２は六角ボルトおよびナットにより構成されている。
なお、キャスター３２は地面の凹凸による衝撃を軽減するため、空気の入ったタイヤを使用したものが好適である。
【００７２】
図９は本発明にかかる第二の実施の形態の搬送台車装置のブレーキ部分を示す拡大斜視図である。図９を参照してブレーキ２３０を説明する。
ブレーキ２３０は、ブレーキボタン２３１、ブレーキ体２３２および解除ボタン２３３から構成されている。
ブレーキ２３０はＬ字状に形成された取付板２３４に取着されている。取付板２３４は、キャスター取付部２２６中央部に取付板取付具２３５によって取着されている。
ブレーキ体２３２のタイヤ当接面は、凹凸が設けられている。
ブレーキ２３０内部には、引き戻しバネが設けられている。（図示省略）
【００７３】
なお、本実施の形態では、引き戻しバネの付勢力を利用したブレーキを採用したが、これに限定するものではなく、公知のブレーキ手段、例えば棒状体等をタイヤに当接させて固定するいわゆるレバー式、タッグル式ブレーキ等（車椅子等に採用されているブレーキ）のようなものであってもよい。
【００７４】
本実施の形態では、キャスター３２を一箇所に設けて三輪にしているが、これに限定するものではなく、四輪の搬送台車装置であってもよいし、多数箇所に車輪あるいはキャスターを設けてもよい。
【００７５】
本実施の形態では、ホースガイド部材２０７は略長円に形成された環状体に形成されているが、これに限定するものではなく、ホースが車輪に絡みにくいよう誘導可能に形成された構造であって、誘導に適当な部分に配置されていればよい。
【００７６】
（作  用）
図１０は第二の実施の形態にかかる搬送台車装置を使用した状態を前方から示す説明図、
図１１は第二の実施の形態にかかる搬送台車装置を使用した状態を後方から示す説明図である。
以下、搬送台車装置２の作用について説明する。なお、搬送台車装置１と共通の作用については説明を省略する。
【００７７】
搬送台車装置２に係る載置台２０１に、動力噴霧機４を載置する。動力噴霧機４の固定方法等については、第一の実施の形態に係る搬送台車装置１と同様であるため説明を省略する。
なお、搬送台車装置２は、ハンドル２２０を押し、または牽引して移動させる。移動の際、本実施の形態に係る搬送台車装置２はキャスター３２を採用しているため、方向転換が容易である。
搬送台車装置２は、キャスター３２を設け、車輪３１を車輪取付基部２０２に取り付けた構造であり、所要の最低地上高を有するために下草等の抵抗を受けにくい。また、不整地で作業する際に、車輪が凹凸を乗り越えやすく、かつ凹部に嵌りにくくなる。
なお、搬送台車装置２は、載置台２０１を搬送台車装置１の載置台１０１より長手方向に長く形成して、各車輪３１間の距離を長く形成しているため、キャスター３２を設けても安定した姿勢を保持できる。
【００７８】
延長ホース４０２を使用して作業する際は、延長ホース４０２をホースガイド部材２０７に挿通させる。ホースガイド部材２０７は車輪３１等から遠ざけた位置に設けられており、延長ホース４０２を該位置に誘導するため、延長ホース４０２を延ばした状態で作業を続行しても車輪３１等に絡みにくくなる。
【００７９】
ハンドル２２０にかかるサイドフレーム２２１、補強フレーム２２２、補強フレーム２２３、キャスター取付部２２５およびキャスター取付部２２６により形成されたスペースに、予備タンク５を載置する。また、載置板２２４、保持板２２７および背面板２２８により形成された収容部に薬品ボトル６等を載置する。
搬送台車装置２に予備タンク５および薬品ボトル６を備えて作業することにより、水や薬品等の補給に戻る時間および肉体的労力が軽減され、効率的な作業が可能となる。
【００８０】
次に、ブレーキ２３０の作用について説明する。
ブレーキ２３０は、ブレーキボタン２３１を押し下げると、ブレーキボタン下部に設けられたブレーキ体２３２が車輪３１にかかるタイヤ部分に押し当てられ動かないよう固定される。
ブレーキを解除する場合は、解除ボタン２３３を図面に示す矢印の方向に押すとブレーキ２３０内に設けられた引き戻しバネの付勢力により、上方向へブレーキボタンが引き上げられてブレーキが解除される。
【００８１】
第一の実施の形態および第二の実施の形態では、搬送台車装置はアルミニウム合金により形成されているが、これに限定するものではなく、他の素材、例えば、ステンレススチール、鉄、銅、チタン等の他の金属、合成樹脂、炭素繊維強化プラスティック等あるいはこれらを組み合わせにより形成したものであってもよい。
【００８２】
第一の実施の形態および第二の実施の形態では、係止フックは二つの鉤状体を横方向かつ平行に固着して形成されているが、これに限定するものではなく、例えば、係止フックの数は一つあるいはそれ以上であってもよい。また、係止フックは鉤状に限定するものではなく、本質的に環状のものを係止するのに適した形状あるいは構造であればよい。
【００８３】
第一の実施の形態および第二の実施の形態では、延長ホースの収納手段として、上部ホース巻掛部１１５、２１５および下部ホース巻掛部１１７、２１７を採用したが、これに限定するものではなく、他の手段、例えば、リールのような巻取手段により延長ホースを収納するものであってもよい。
【００８４】
第一の実施の形態および第二の実施の形態では、固定部材は左右各１箇所設けたが、これに限定するものではなく、例えば、噴霧作業機をハンドルと固定部材により前後から挟み込めるよう設けてもよい。また、固定部材は断面視六角形の棒状体により形成されているが、これに限定するものではなく、例えば、断面視三角形、四角形あるいは多角形の棒状体であってもよいし、断面視山形にもうけた板状片を使用してもよい。
【００８５】
第一の実施の形態および第二の実施の形態では、搬送台車装置に係る各部分、例えば補助脚部やハンドル等は載置台に固着された構造であるが、これに限定するものではなく、上記各部分をボルト・ナットにより連結して組立および解体可能に形成した構造であってもよい。
【００８６】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【図面の簡単な説明】
【００８７】
【図１】本発明にかかる搬送台車装置の、第一の実施の形態を示す斜視図。
【図２】本発明にかかる第一の実施の形態の搬送台車装置を下方から示す斜視図。
【図３】本発明にかかる第一の実施の形態の搬送台車装置を後方から示す斜視図。
【図４】第一の実施の形態にかかる搬送台車装置を使用した状態を前方から示す説明図。
【図５】第一の実施の形態にかかる搬送台車装置を使用した状態を後方から示す説明図。
【図６】本発明にかかる搬送台車装置の、第二の実施の形態を示す斜視図。
【図７】本発明にかかる第二の実施の形態の搬送台車装置を下方から示す斜視図。
【図８】本発明にかかる第二の実施の形態の搬送台車装置を後方から示す斜視図。
【図９】本発明にかかる第二の実施の形態の搬送台車装置のブレーキ部分を示す拡大斜視図。
【図１０】第二の実施の形態にかかる搬送台車装置を使用した状態を前方から示す説明図。
【図１１】第二の実施の形態にかかる搬送台車装置を使用した状態を後方から示す説明図。
【符号の説明】
【００８８】
１      搬送台車装置
１０１  載置台
１０２  補助脚部
１０３  固定部材
１０４  長孔
１０５  固定ボルト
１０６  フレーム
１１０  ハンドル
１１１  ガイド板
１１２  長孔
１１３  係止フック
１１４  固定ナット
１１５  上部ホース巻掛部
１１６  横フレーム部材
１１７  下部ホース巻掛部
１１８  掛止部
２      搬送台車装置
２０１  載置台
２０２  車輪取付基部
２０３  固定部材
２０４  長孔
２０５  固定ボルト
２０６  フレーム
２０７  ホースガイド部材
２０８  ホースガイド部材取付部
２１０  取付フレーム
２１１  ガイド板
２１２  長孔
２１３  係止フック
２１４  固定ナット
２１５  上部ホース巻掛部
２１６  横フレーム部材
２１７  下部ホース巻掛部
２１８  掛止部
２２０  ハンドル
２２１  サイドフレーム
２２２  補強フレーム
２２３  補強フレーム
２２４  載置板
２２５  キャスター取付部
２２６  キャスター取付部
２２７  保持板
２２８  背面板
２３０  ブレーキ
２３１  ブレーキボタン
２３２  ブレーキ体
２３３  解除ボタン
２３４  取付板
２３５  取付板取付具
３１    車輪
３２    キャスター
３２１  車輪保持部
３２２  キャスター固定部材
４      動力噴霧機
４０１  ノズル
４０２  延長ホース
４０３  背負ベルト
４０４  バックル
５      予備タンク
６      薬品ボトル
【図１】
2005271687.tif 000003
【図２】
2005271687.tif 000004
【図３】
2005271687.tif 000005
【図４】
2005271687.tif 000006
【図５】
2005271687.tif 000007
【図６】
2005271687.tif 000008
【図７】
2005271687.tif 000009
【図８】
2005271687.tif 000010
【図９】
2005271687.tif 000011
【図１０】
2005271687.tif 000012
【図１１】
2005271687.tif 000013
【手続補正書】
【提出日】平成16年3月24日(2004.3.24)
【手続補正１】
【補正対象書類名】図面
【補正対象項目名】図１０
【補正方法】変更
【補正の内容】
【図１０】
2005271687.tif 000014
【手続補正２】
【補正対象書類名】図面
【補正対象項目名】図１１
【補正方法】変更
【補正の内容】
【図１１】
2005271687.tif 000015